(57)【特許請求の範囲】
【請求項１】
表面シート、裏面シート及びこれら両シート間に配された吸収体を具備する縦長の吸収性物品であって、
肌対向面に圧搾溝及び標識部が、前記表面シート及び前記吸収体を前記裏面シート側に向かって一体的に圧搾して形成されており、
前記圧搾溝は、前記吸収性物品の後方領域に幅方向に延びる横圧搾溝を有しており、
前記標識部は、指の先で触った際に該標識部の全容が分かるサイズで、かつ、幅方向長さが前記横圧搾溝よりも短く、前記吸収性物品の長手方向に延びる中心線上に配され、該中心線に対称な形状に形成されており、
前記標識部は、前記吸収性物品の後端から前方に離れた位置に配され、少なくとも該標識部の一部が前記圧搾溝の前記横圧搾溝よりも後方に位置しており、
前記標識部は、前記表面シート及び前記裏面シートにおける前記吸収体の周縁部よりも外方の部分で互いに接合されてなるシール部と、前記横圧搾溝とから独立して存在しており、
前記シール部と前記横圧搾溝との間には、前記標識部以外、前記表面シート及び前記吸収体を前記裏面シート側に向かって一体的に圧搾してなる圧搾部が存在していない吸収性物品。
【請求項２】
前記標識部は、その輪郭における前側輪郭部分が前方側に凸の形状に形成されていると共に、その輪郭における後側輪郭部分の中央部が前方側に窪んだ形状に形成されている請求項１に記載の吸収性物品。
【請求項３】
表面シート、裏面シート及びこれら両シート間に配された吸収体を具備する縦長の吸収性物品であって、
肌対向面に圧搾溝及び標識部が、前記表面シート及び前記吸収体を前記裏面シート側に向かって一体的に圧搾して形成されており、
前記圧搾溝は、前記吸収性物品の後方領域に幅方向に延びる横圧搾溝を有しており、
前記標識部は、指の先で触った際に該標識部の全容が分かるサイズで、かつ、幅方向長さが前記横圧搾溝よりも短く、前記吸収性物品の長手方向に延びる中心線上に配され、該中心線に対称な形状に形成されており、
前記標識部は、前記吸収性物品の後端から前方に離れた位置に配され、少なくとも該標識部の一部が前記圧搾溝の前記横圧搾溝よりも後方に位置しており、
前記標識部は、その輪郭における前側輪郭部分が前方側に凸の形状に形成されていると共に、その輪郭における後側輪郭部分の中央部が前方側に窪んだ形状に形成されている吸収性物品。
【請求項４】
前記標識部は、その輪郭の前記後側輪郭部分における前記中心線より左部分が右側後方に凸の形状に形成されており、該後側輪郭部分における該中心線より右部分が左側後方に凸の形状に形成されている請求項２又は３に記載の吸収性物品。
【請求項５】
前記圧搾溝及び前記標識部は、それぞれ、高圧搾部と低圧搾部とを有し、
前記圧搾溝における前記高圧搾部及び前記低圧搾部の配置パターンと、前記標識部における前記高圧搾部及び前記低圧搾部の配置パターンとが異なっている請求項１〜４の何れか１項に記載の吸収性物品。
【請求項６】
幅方向中央部における前記裏面シートの非肌対向面に、衣類に固定する縦長の固定用部材を一対備えており、
前記標識部は、前記一対の固定用部材の間に対応する位置に配されている請求項１〜５の何れか１項に記載の吸収性物品。
【発明の詳細な説明】
【技術分野】
【０００１】
本発明は、生理用ナプキン、失禁パッド等の吸収性物品に関する。
【背景技術】
【０００２】
一般的に、生理用ナプキンは、表面シート、裏面シート及びこれら両シート間に配された吸収体を具備しており、ショーツ等の衣類のクロッチ部に、裏面シートの非肌対向面に配された粘着剤等で固定して使用される。このように使用される際、生理用ナプキンが衣類のクロッチ部の適切な位置に配置固定されていないと、生理用ナプキンの機能を十分に発揮することができない。
【０００３】
例えば、特許文献１，２には、生理用ナプキンに形成された目印を目視により確認し、該目印に基づいて生理用ナプキンを衣類のクロッチ部の適切な位置に配置することができる生理用ナプキンが記載されている。
【先行技術文献】
【特許文献】
【０００４】
【特許文献１】特表２００８-５００１０７号公報
【特許文献２】特開２０１２-８５８２８号公報
【発明の概要】
【発明が解決しようとする課題】
【０００５】
しかし、特許文献１，２に記載の生理用ナプキンは、目視により目印を確認するものであり、特許文献１,２には、目視以外の感覚で確認する目印に関して、何ら記載されていない。また、特許文献１，２に記載の生理用ナプキンは、目視により目印を確認することが前提であるため、該目印と、表面シート及び吸収体を一体的に圧搾して形成された防漏溝との違いに関して、何ら考慮されていない。
【０００６】
したがって本発明は、前述した従来技術が有する欠点を解消し得る吸収性物品を提供することにある。
【課題を解決するための手段】
【０００７】
表面シート、裏面シート及びこれら両シート間に配された吸収体を具備する縦長の吸収性物品であって、肌対向面に圧搾溝及び標識部が、前記表面シート及び前記吸収体を前記裏面シート側に向かって一体的に圧搾して形成されており、前記圧搾溝は、前記吸収性物品の後方領域に幅方向に延びる横圧搾溝を有しており、前記標識部は、指の先で触った際に該標識部の全容が分かるサイズで、かつ、幅方向長さが前記横圧搾溝よりも短く、前記吸収性物品の長手方向に延びる中心線上に配され、該中心線に対称な形状に形成されており、前記標識部は、前記吸収性物品の後端から前方に離れた位置に配され、少なくとも該標識部の一部が前記圧搾溝の前記横圧搾溝よりも後方に位置している吸収性物品を提供するものである。
【発明の効果】
【０００８】
本発明によれば、感覚によって吸収性物品を衣類のクロッチ部の適切な位置に配置することができる。
【図面の簡単な説明】
【０００９】
【図１】図１は、本発明の一実施形態である生理用ナプキンを表面シート側から見た斜視図である。
【図２】図２は、図１に示す生理用ナプキンを表面シート側から見た平面図である。
【図３】図３は、図１に示す生理用ナプキンを裏面シート側から見た平面図である。
【図４】図４は、図２のＩＶ−ＩＶ線断面図である。
【図５】図５は、図２に示す生理用ナプキンの有する標識部を表面シート側から見た拡大平面図である。
【図６】図６（ａ）〜図６（ｅ）は、本発明の吸収性物品の有する他の標識部を表面シート側から見た拡大平面図である。
【発明を実施するための形態】
【００１０】
以下本発明を、その好ましい実施形態に基づき図面を参照しながら説明する。
本実施形態の吸収性物品は、生理用ナプキンであり、本実施形態の生理用ナプキン１（以下、「ナプキン１」ともいう。）は、図１〜図４に示すように、表面シート２、裏面シート３及びこれら両シート２，３間に配された吸収体４を具備する縦長のものである。
本明細書において、「肌対向面」とは、ナプキン１を構成する表面シート２などの各部材の表裏両面のうち、着用時に着用者の肌側に配される面であり、「非肌対向面」とは、ナプキン１を構成する表面シート２などの各部材の表裏両面のうち、着用時に着用者の肌側とは反対側（衣類側）に向けられる面である。
また、本明細書において、「前後方向」とは、着用時に着用者の前後方向と一致する方向であり、ナプキン１の長手方向と一致する方向でもある。尚、前後方向又は長手方向を、各図には「Ｘ方向」で示している。また、各図に示す「Ｙ方向」は、Ｘ方向に直交する方向であり、ナプキン１の左右方向又は幅方向と同じ方向である。
ナプキン１は、図１に示すように、ナプキン１の長手方向（Ｘ方向）に延びる中心線ＣＬに対して左右対称に形成されている。
【００１１】
本実施形態のナプキン１は、図１〜図３に示すように、就寝時の使用に適した夜用のナプキンであり、全長が３０ｃｍ以上、特に３５ｃｍ以上であることが好ましいものである。
ナプキン１は、図１に示すように、前後方向（Ｘ方向）に長い縦長の吸収性本体１０と、一対のウイング部２０，２０と、一対の後方フラップ部３０，３０とを有している。
ナプキン１は、その前後方向（Ｘ方向）に、前方領域Ａ、排泄部対向領域Ｂ及び後方領域Ｃに区分され、排泄部対向領域Ｂにおける吸収性本体１０の左右両側に一対のウイング部２０，２０、後方領域Ｃにおける吸収性本体１０の左右両側に一対の後方フラップ部３０，３０を有している。
【００１２】
本発明の吸収性物品において、排泄部対向領域Ｂは、幅方向（Ｙ方向）の中央領域における、着用者の液排泄部（膣口等）が対向配置される領域であり、前方領域Ａは、排泄部対向領域Ｂより着用者の前側（腹側）に配される領域であり、後方領域Ｂは、排泄部対向領域Ｂより着用者の背中側に配される領域である。排泄部対向領域Ｂは、本実施形態のナプキン１のようにウイング部２０を有する場合には、吸収性物品の前後方向（Ｘ方向）においてウイング部２０を有する領域（ウイング部の前後方向一方側の付け根と他方側の付け根とに挟まれた領域）である。ウイング部２０を有しない吸収性物品における排泄部対向領域は、吸収性物品が３つ折りの個装形態に折り畳まれた際に生じる、該吸収性物品の幅方向（Ｙ方向）に横断する２本の折曲線（図示せず）について、該吸収性物品の前後方向（Ｘ方向）の前端から数えて第１折曲線と第２折曲線とに囲まれた領域である。
【００１３】
ナプキン１は、図１，図４に示すように、肌対向面を形成する液透過性の表面シート２、非肌対向面を形成する液難透過性の裏面シート３及びそれら２，３の間に配された吸収体４を具備する縦長の吸収性本体１０を備えている。また、吸収性本体１０は、表面シート２の左右両側に接合された一対の立体ガード形成用シート５，５を備えている
【００１４】
表面シート２は、ナプキン１においては、図２，図４に示すように、吸収体４の肌対向面を覆い、吸収性本体１０の幅方向（Ｙ方向）の中央部に、吸収性本体１０の前後方向（Ｘ方向）の全長に亘るように配されている。
【００１５】
裏面シート３は、ナプキン１においては、図３，図４に示すように、吸収体４の非肌対向面の全面を覆っている。裏面シート３の前後方向（Ｘ方向）の前後端は、吸収体４の前後端それぞれから前後方向（Ｘ方向）外方に延出している。裏面シート３の前後方向（Ｘ方向）に沿う両側は、吸収体４の左右両側それぞれから幅方向（Ｙ方向）外方に延出している。そして、裏面シート３は、前方領域Ａ、排泄部対向領域Ｂ及び後方領域Ｃにおいて、吸収性本体１０の輪郭と一致する輪郭を有している。排泄部対向領域Ｂ及び後方領域Ｃにおける裏面シート３の延出部分が、それぞれ、ウイング部２０及び後方フラップ部３０の形成材料となる。
【００１６】
吸収体４は、ナプキン１においては、パルプ繊維等の繊維材料からなる繊維集合体又は該繊維集合体に高吸水性ポリマーを保持させた吸収性コアの上下両面を、ティッシュペーパーや透水性の不織布からなるコアラップシート（図示せず）によって被覆されて形成されている。コアラップシートは、吸収性コアの形成材料の漏れ出しを防止したり、吸収性コアの保形性を高めたりする目的で使用される。表面シート２と、吸収体４の肌対向面を形成するコアラップシートとの間、及び裏面シート３と、吸収体４の非肌対向面を形成するコアラップシートとの間は、ドット、スパイラル、ストライプ等のパターン塗工された接着剤により互いに接合されていることが好ましい。
【００１７】
吸収体４は、ナプキン１においては、図２に示すように、ナプキン１の前後方向（Ｘ方向）と同方向に長い形状を有する。また、吸収体４は、ナプキン１の排泄部対向領域Ｂから後方領域Ｃの一部に亘る領域における幅方向（Ｙ方向）の中央部に、前方中高領域４１を有するとともに、後方領域Ｃにおける幅方向（Ｙ方向）の中央部に後方中高領域４２を有している。また、吸収体４は、前方中高領域４１と後方中高領域４２とを纏めて取り囲む環状の周辺領域４３を有している。
【００１８】
ナプキン１においては、図１，図４に示すように、表面シート２の下に、吸収体４の前方中高領域４１が存在することによって、排泄部対向領域Ｂから後方領域Ｃの一部に亘る領域における肌対向面の幅方向中央部に、着用者の肌側に向かって突出する前方隆起部１１が形成されており、また、表面シート２の下に、吸収体４の後方中高領域４２が存在することによって、後方領域Ｃにおける肌対向面の幅方向中央部に、着用者の肌側に向かって突出する後方隆起部１２が形成されている。
【００１９】
前方中高領域４１は、図４に示すように、吸収体４の周辺領域４３における厚みよりも厚みが厚い領域であり、排泄部対向領域Ｂから後方領域Ｃの一部に亘る領域に形成されている。前方中高領域４１は、排泄部対向領域Ｂのみに形成されていても良いが、図１，図２に示すように、排泄部対向領域Ｂから後方領域Ｃの一部に亘って延在していることが好ましい。
【００２０】
後方中高領域４２は、吸収体４の周辺領域４３における厚みよりも厚みが厚い領域であり、図１，図２に示すように、後方領域Ｃに形成されている。また、後方中高領域４２は、吸収体４の前後方向（Ｘ方向）において、前方中高領域４１よりも後方に形成されている。
【００２１】
立体ガード形成用シート５は、ナプキン１においては、図２，図４に示すように、表面シート２の左右両側部それぞれに前後方向（Ｘ方向）に沿って配されている。立体ガード形成用シート５は、吸収性本体１０の幅方向（Ｙ方向）の中心線ＣＬ寄りの位置に外方に向かって折り返された折り返し部５１を有し、該折り返し部５１から幅方向（Ｙ方向）外方に位置する部分において表面シート２上に接合されている。立体ガード形成用シート５は、立体ガードの自由端を形成する側縁部５２の近傍に立体ガード形成用の弾性部材５３を有しており、着用時には、その弾性部材５３の収縮力により、排泄部対向領域Ｂにおける折り返し部５１から側縁部５２までの間の部分が着用者の肌側に向かって起立して立体ガード５０を形成する。
【００２２】
一対のウイング部２０，２０及び一対の後方フラップ部３０，３０は、吸収体４の両側縁から延出した立体ガード形成用シート５及び裏面シート３からなる。一対のウイング部２０それぞれの裏面シート３からなる面には、ショーツのクロッチ部の非肌対向面に固定するためのウイング部粘着部（図示せず）が設けられている。また、一対の後方フラップ部３０それぞれの裏面シート３からなる面にも、ショーツの非肌対向面に固定するためのフラップ部粘着部（図示せず）が設けられていることが好ましい。
【００２３】
肌側シート２と裏面シート３とは、吸収体４の周縁部より外方が接着剤で互いに接合されている。そして、肌側シート２、裏面シート３及び立体ガード形成用シート５は、一対のウイング部２０，２０及び一対の後方フラップ部３０，３０を有するナプキン１の全周縁の輪郭に倣って、全周縁に亘って熱シールにより接合されている。
【００２４】
ナプキン１においては、図１，図２に示すように、肌対向面に圧搾溝６及び標識部７が、表面シート２及び吸収体４を、裏面シート３側に向かって一体的に圧搾して形成されている。以下、圧搾溝６及び標識部７について、具体的に説明する。圧搾溝６及び標識部７は、例えば、熱エンボス加工、又は超音波シール加工による圧搾により形成されている。
【００２５】
圧搾溝６は、図１，図２に示すように、ナプキン１の後方領域Ｃに幅方向（Ｙ方向）に延びる横圧搾溝６ｃを有している。ナプキン１においては、圧搾溝６は、横圧搾溝６ｃに加えて、前方領域Ａに配された前方圧搾溝６ａと、排泄部対向領域Ｂから後方領域Ｃの一部に亘る領域の両側部に前後方向（Ｘ方向）に沿って延びる一対の縦圧搾溝６ｂｓ，６ｂｓと、後方領域Ｃの両側部に前後方向（Ｘ方向）に沿って延びる一対の縦圧搾溝６ｃｓ，６ｃｓと、縦圧搾溝６ｂｓと縦圧搾溝６ｃｓとの境界付近に位置して幅方向（Ｙ方向）に延びる第二横圧搾溝６ｄを有している。ナプキン１においては、前方圧搾溝６ａ、一対の縦圧搾溝６ｂｓ，６ｂｓ、一対の縦圧搾溝６ｃｓ，６ｃｓ及び横圧搾溝６ｃが繋がって環状の全周溝を形成している。尚、「ナプキン１の後方領域Ｃに幅方向（Ｙ方向）に延びる横圧搾溝」とは、ナプキン１のように、後方領域Ｃに、幅方向（Ｙ方向）に延びる横圧搾溝が、複数本（ナプキン１においては、横圧搾溝６ｃ及び第二横圧搾溝６ｄの２本）存在している場合には、最も後方に位置する横圧搾溝６ｃを意味する。また、圧搾溝６は、ナプキン１においては、横圧搾溝６ｃ以外に他の溝を有しているが、他の溝を有していなくてもよく、他の溝の形状も後述する形状に限らない。
【００２６】
前方圧搾溝６ａは、図２に示すように、中心線ＣＬより右側において右斜め前方に凸状に突出した円弧状の右凸部圧搾溝６ａｒと、中心線ＣＬより左側において左斜め前方に凸状に突出した円弧状の左凸部圧搾溝６ａｌとを有している。右凸部圧搾溝６ａｒ及び左凸部圧搾溝６ａｌは、中心線ＣＬ側にて後方側にＶ字状に窪んだ窪み６１を形成しながら交差し連接されている。
【００２７】
一対の縦圧搾溝６ｂｓ，６ｂｓは、図２に示すように、吸収体４の前方中高領域４１の両側に沿って配され、幅方向（Ｙ方向）外方に凸状に湾曲した円弧状に形成されている。前方圧搾溝６ａを構成する右凸部圧搾溝６ａｒと一方の縦圧搾溝６ｂｓとは中心線ＣＬ側に括れた右側括れ部６２ｒを形成しながら交差し連接されている。また、前方圧搾溝６ａを構成する左凸部圧搾溝６ａｌと他方の縦圧搾溝６ｂｓとは中心線ＣＬ側に括れた左側括れ部６２ｌを形成しながら交差し連接されている。右側括れ部６２ｒと左側括れ部６２ｌとは、中心線ＣＬに対して左右対称に形成されている。
【００２８】
一対の縦圧搾溝６ｃｓ，６ｃｓは、図２に示すように、吸収体４の後方中高領域４２を囲むように配され、幅方向（Ｙ方向）外方に凸状に湾曲した円弧状に形成されている。右側においては、一方の縦圧搾溝６ｃｓと一方の縦圧搾溝６ｂｓとが中心線ＣＬ側に滑らかに括れた右側中間括れ部６３ｒを形成しながら交差し連接されている。また、左側においては、他方の縦圧搾溝６ｃｓと他方の縦圧搾溝６ｂｓとが中心線ＣＬ側に滑らかに括れた左側中間括れ部６３ｌを形成しながら交差し連接されている。右側中間括れ部６３ｒと左側中間括れ部６３ｌとは、中心線ＣＬに対して左右対称に形成されている。
【００２９】
横圧搾溝６ｃは、図２に示すように、中心線ＣＬより右側において右斜め後方に凸状に突出した円弧状の右凸部圧搾溝６ｃｒと、中心線ＣＬより左側において左斜め後方に凸状に突出した円弧状の左凸部圧搾溝６ｃｌとを有している。右凸部圧搾溝６ｃｒ及び左凸部圧搾溝６ｃｌは、中心線ＣＬ側にて前方側にＶ字状に窪んだ窪み６４を形成しながら交差し連接されている。
【００３０】
横圧搾溝６ｃを構成する右凸部圧搾溝６ｃｒと一方の縦圧搾溝６ｃｓとは外方に凸状に湾曲しながら滑らかに連接されている。また、横圧搾溝６ｃを構成する左凸部圧搾溝６ｃｌと他方の縦圧搾溝６ｃｓとは外方に凸状に湾曲しながら滑らかに連接されている。
【００３１】
第二横圧搾溝６ｄは、図２に示すように、吸収体４の前方中高領域４１と後方中高領域４との間の領域にて、後方に凸状に突出した円弧状に形成されている。第二横圧搾溝６ｄの両端部は、右側中間括れ部６３ｒ及び左側中間括れ部６３ｌ近傍の位置まで延在している。
【００３２】
次に、標識部７は、図１，図２に示すように、指の先で触った際に該標識部７の全容が分かるサイズで、かつ、幅方向（Ｙ方向）長さが６ｃ横圧搾溝よりも短く形成され、図２，図５に示すように、ナプキン１の長手方向（Ｘ方向）に延びる中心線ＣＬ上に配され、該中心線ＣＬに対称な形状に形成されている。ここで、「指の先で触った際に該標識部７の全容が分かるサイズ」とは、詳述すると、親指或いは人差し指のつま先で標識部７の輪郭を把握することができ、標識部７の中心部を把握することができるサイズであり、具体的には、標識部７の面積が０．０４ｃｍ２〜２５ｃｍ２程度のものを意味する。標識部７の面積としては、０．６４ｃｍ２以上、特に１ｃｍ２以上であることが、標識部であることの認識性がより高まるので好ましく、また、２５ｃｍ２以下、特に２０ｃｍ２以下であることが、臀部の柔らかさを損ねず、良好な着用感を得られる観点から好ましい。具体的には、０．６４ｃｍ２以上２５ｃｍ２以下、特に１ｃｍ２以上２０ｃｍ２以下であることが好ましい。
【００３３】
標識部７は、ナプキン１の後端から前方に離れた位置に配され、少なくとも該標識部７の一部が圧搾溝６の横圧搾溝６ｃよりも後方に位置している。ここで、「少なくとも該標識部７の一部が圧搾溝６の横圧搾溝６ｃよりも後方に位置している」とは、図２に示すような、標識部７の全体が横圧搾溝６ｃよりも後方に位置し、標識部７がナプキン１の後端と圧搾溝６の横圧搾溝６ｃとの間に、圧搾溝６から独立して存在している形態のみならず、標識部７と圧搾溝６の横圧搾溝６ｃとが重なっていて、標識部６の一部が圧搾溝６の後方に位置している形態も含むことを意味する。尚、ナプキン１においては、標識部７が、横圧搾溝６ｃよりも後方に位置し、ナプキン１の全周縁に亘る熱シール部よりも前方に位置しており、横圧搾溝６ｃ及び該熱シール部から独立して存在している。前記熱シール部と標識部７との間は圧搾処理されていない比較的柔らかい風合いの領域となっている。このため、標識部７が触感によって直ぐ認識し易くなっている。また、前記熱シール部は厚みが薄いので、標識部７を摘まんでナプキン１を適正な位置に移動する操作を行う際、掌の中で該熱シール部が曲がり易いので、操作がし易い。
【００３４】
標識部７は、その形状に関しては、指の先で触った際に該標識部７の全容が分かる形状であればよいが、ナプキン１においては、図２，図５に示すように、その輪郭７０における前側輪郭部分７０ｆが前方側に凸の形状に形成されていると共に、その輪郭７０における後側輪郭部分７０ｂの中央部が前方側に窪んだ形状に形成されている。ナプキン１においては、図５に示すように、標識部７は、その輪郭７０の後側輪郭部分７０ｂにおける中心線ＣＬより左部分７０ｂｌが右側後方に凸の形状に形成されており、該後側輪郭部分７０ｂにおける中心線ＣＬより右部分７０ｂｒが左側後方に凸の形状に形成されている。更に詳述すると、ナプキン１の標識部７は、図５に示すように、標識部７の輪郭７０を構成する後側輪郭部分７０ｂの左部分７０ｂｌが右側斜め後方に凸の円弧状に形成されており、該後側輪郭部分７０ｂの右部分７０ｂｒが左側斜め後方に凸の円弧状に形成されている。また、ナプキン１の標識部７は、図５に示すように、標識部７の輪郭７０の前側輪郭部分７０ｆにおける中心線ＣＬより左部分７０ｆｌが左側斜め前方に凸の円弧状に形成されており、該前側輪郭部分７０ｆにおける中心線ＣＬより右部分７０ｆｒが右側斜め前方に凸の円弧状に形成されている。
【００３５】
ナプキン１において標識部７の幅方向長さは、横圧搾溝６ｃの幅方向長さよりも短い。つまり、標識部７の幅方向端部が横圧搾溝６ｃの幅方向長さの範囲内に存在している。このため、標識部７と横圧搾部６ｃとが、触感によって区別しやすくなっている。標識部７の幅方向長さの、横圧搾溝６ｃの幅方向長さに対する比（標識部７の幅方向長さ／横圧搾溝６ｃの幅方向長さ）は、０．９以下、特に０．７以下であることが両者の違いから標識部７を認識しやすいとともに、着用者臀部に違和感を与えにくくなる観点から好ましく、また、０．１以上、特に０．３以上であることが、標識部７の存在を着用者が認識しやすくなるとともに、着用時に手でナプキン１を適正な位置に配置する際の指の引っ掛かりができる点から好ましい。具体的には、０．１以上０．９以下、特に０．３以上０．７以下であることが好ましい。
【００３６】
上述したように、圧搾溝６及び標識部７は、例えば、熱エンボス加工、又は超音波シール加工による圧搾により形成されており、ナプキン１においては、圧搾溝６及び標識部７は、それぞれ、外周縁（輪郭）よりも内側に、高圧搾部６ｓ，７ｓと低圧搾部６ｗ，７ｗとを有している。以下、そして、圧搾溝６における高圧搾部６ｓ及び低圧搾部６ｗの配置パターンと、標識部７における高圧搾部７ｓ及び低圧搾部６ｗの配置パターンとについて説明する。
【００３７】
圧搾溝６における高圧搾部６ｓ及び低圧搾部６ｗの配置パターンに関して説明すると、圧搾溝６の全周溝を構成する前方圧搾溝６ａ、一対の縦圧搾溝６ｂｓ，６ｂｓ、一対の縦圧搾溝６ｃｓ，６ｃｓ及び横圧搾溝６ｃ、並びに圧搾溝６の横圧搾溝６ｄは、何れも、図２に示すように、底部に、複数の高圧搾部６ｓと、各高圧搾部６ｓを囲繞する低圧搾部６ｗとを有している。高圧搾部６ｓは、前方圧搾溝６ａ、横圧搾溝６ｃ及び横圧搾溝６ｄにおいては、幅方向（Ｙ方向）に間隔を空けて間欠的に配されており、一対の縦圧搾溝６ｂｓ，６ｂｓ及び一対の縦圧搾溝６ｃｓ，６ｃｓにおいては、前後方向（Ｘ方向）に間隔を空けて間欠的に配されている。高圧搾部６ｓは、表面シート２及び吸収体４が、低圧搾部６ｗにおけるよりも強く裏面シート３側に圧搾されており、吸収体４は、高圧搾部６ｓにおける密度が低圧搾部６ｗにおける密度よりも高くなっている。また、吸収体４は、低圧搾部６ｗにおける密度が、圧搾溝６以外の部分における密度よりも高くなっている。
【００３８】
標識部７における高圧搾部７ｓ及び低圧搾部６ｗの配置パターンに関して説明すると、標識部７は、図５に示すように、高圧搾部７ｓ及び低圧搾部７ｗによって、輪郭だけでなく全体が圧搾されて形成されている。高圧搾部７ｓは、Ｙ方向に延びる複数の横線部分とＸ方向に延びる複数の縦線部分によって格子状に形成されている。そして、低圧搾部７ｗは、格子状の高圧搾部７ｓの各格子の間に矩形状に形成されている。
【００３９】
以上のように、ナプキン１においては、圧搾溝６における高圧搾部６ｓ及び低圧搾部６ｗの配置パターンと、標識部７における高圧搾部７ｓ及び低圧搾部６ｗの配置パターンとが異なっている。
【００４０】
ナプキン１においては、図３に示すように、幅方向（Ｙ方向）中央部における裏面シート３の非肌対向面に、衣類に固定する縦長の固定用部材８を一対備えている。一対の固定用部材８，８は、それぞれ、吸収性本体１０の前後方向（Ｘ方向）に亘って矩形状に配されている。一対の固定用部材８，８は、中心線ＣＬに対して左右対称に形成されている。ナプキン１においては、標識部７は、一対の固定用部材８，８の間に対応する位置に配されている。即ち、ナプキン１の肌対向面に配された標識部７は、ナプキン１の非肌対向面に配された一対の固定用部材８，８の間に対応する位置に配されている。
【００４１】
本実施形態のナプキン１の形成材料について説明する。
表面シート２、裏面シート３、立体ガード形成用シート５としては、通常、生理用ナプキン等の吸収性物品において従来用いられている各種の材料などを特に制限なく用いることができる。
例えば、表面シート２としては、単層又は多層構造の不織布や、開孔フィルム等を用いることができる。裏面シート３としては、液難透過性又は撥水性の樹脂フィルムや樹脂フィルムと不織布の積層体等を用いることができる。立体ガード形成用シート５としては、伸縮性のフィルム、不織布、織物またはそれらの積層シート等を用いることができる。
【００４２】
立体ガード形成用の弾性部材５３としては、通常、生理用ナプキン等の吸収性物品に用いられるものであれば、特に制限なく用いることができ、例えば、天然ゴム、ポリウレタン、ポリスチレン−ポリイソプレン共重合体、ポリスチレン−ポリブタジエン共重合体、アクリル酸エチル−エチレン等のポリエチレン−αオレフィン共重合体等からなる糸状の伸縮性材料を用いることができる。
【００４３】
固定用部材８を形成する接着剤としては、通常、生理用ナプキン等の吸収性物品に用いられるものであれば、特に制限なく用いることができ、例えば、ホットメルト接着剤を用いることができる。ホットメルト接着剤としては、例えばスチレン−イソプレン−スチレンブロック共重合体（ＳＩＳ）、スチレン−ブタジエン−スチレンブロック共重合体（ＳＢＳ）、スチレン−エチレン−ブチレン−スチレン共重合体（ＳＥＢＳ）等のブロックコポリマー系のホットメルト接着剤が挙げられる。
【００４４】
上述した本発明の実施形態のナプキン１を使用した際の作用効果について説明する。
ナプキン１においては、図１，図２に示すように、指の先で触った際にその全容が分かり且つ横圧搾溝６ｃよりも幅方向（Ｙ方向）長さの短い標識部７が、ナプキン１の中心線ＣＬ上に配されており、標識部７は、ナプキン１の後端から前方に離れた位置に配され、その一部が圧搾溝６の横圧搾溝６ｃよりも後方に位置して配されている。その為、ナプキン１をショーツ等の衣類のクロッチ部に例えば固定用部材８を介して固定して着用する際に、着用者からは見え難いナプキン１の後方領域Ｃに配された標識部７を、指先の感覚にて認識でき、標識部７を頼りにクロッチ部の中心位置、即ち、クロッチ部の適切な位置に配置することができる。このように、ナプキン１を着用する際の操作性が向上する。
【００４５】
また、ナプキン１においては、図１，図２に示すように、標識部７の輪郭７０における前側輪郭部分７０ｆが前方側に凸の形状に形成されていると共に、標識部７の輪郭７０における後側輪郭部分７０ｂの中央部が前方側に窪んだ形状に形成されている。このように標識部７が形成されていると、目視によらずとも触感で標識部７の前後を認識でき、圧搾溝６との区別がつき易くなり、ナプキン１を着用する際の操作性が更に向上する。また、着用者が背中側からナプキン１の後方を触る操作をする際、標識部７の中央部位置が触感で認識し易い。
【００４６】
また、ナプキン１においては、図２，図５に示すように、標識部７の輪郭７０の後側輪郭部分７０ｂにおける中心線ＣＬより左部分７０ｂｌが右側後方に凸の形状に形成されており、該後側輪郭部分７０ｂにおける中心線ＣＬより右部分７０ｂｒが左側後方に凸の形状に形成されている。その為、ナプキン１の使用中に、後方領域Ｃの幅方向（Ｙ方向）内側に応力が掛かったとしても、標識部７の存在により中心線ＣＬ側に応力が掛かり難く、後方領域Ｃに縦皺が発生し難く、使用感が向上する。
【００４７】
また、ナプキン１においては、図２，図５に示すように、圧搾溝６における高圧搾部６ｓ及び低圧搾部６ｗの配置パターンと、標識部７における高圧搾部７ｓ及び低圧搾部６ｗの配置パターンとが異なっている。このように形成されていると、目視によらずとも感覚で、圧搾溝６と標識部７との違いを認識できて区別がつき易くなり、ナプキン１を着用する際の操作性が更に向上する。
【００４８】
また、ナプキン１においては、図３に示すように、幅方向（Ｙ方向）中央部における裏面シート３の非肌対向面に、衣類に固定する縦長の固定用部材８を一対備えている。その為、ナプキン１を衣類のクロッチ部に固定用部材８を介して固定して着用する際、指先で標識部７を探すときに、指先に固定用部材８が付着し難く、ナプキン１を着用する際の操作性が更に向上する。
【００４９】
また、ナプキン１においては、横圧搾溝６ｃの幅方向中央に前方側へ凸のＶ字部分（窪み部６４）が存在している。このため、標識部７と横圧搾溝６ｃが重ならず、長手方向に分離している場合には、両者の距離が大きくなることから、標識部７が触感のみによって認識し易くなる。また、窪み部６４が標識部７における前部側輪郭７ｆの幅方向中央部分にある前方側へ凸の形状部分と幅方向で重なっている。その為、標識部７の中央部分が認識しやすくなっており、触感だけによってナプキン１を適正な位置に移動させることがし易くなっている。
【００５０】
さらに、ナプキン１では立体ガードが排泄部対向領域Ｂでは起立するが、後方領域Ｃでは、その全体又は一部において、立体ガード形成用シート５が表面シート２に固定されて起立しない非起立部となされている。該非起立部と長手方向において重なる部分に標識部７が設けられている。その為、標識部７の形状が維持されるので、触感による認識がし易い。また、臀部と対向する後方領域Ｃの広い範囲が収縮しないので、引っ張り操作による位置調整がし易い。
【００５１】
本発明は、上述した実施形態に何ら制限されるものではなく、適宜変更可能である。
例えば、上述したナプキン１の標識部７の形状として、図５に示すような形状であったが、図５に示す形状以外に、標識部７の輪郭７０における前側輪郭部分７０ｆが前方側に凸の形状に形成されていると共に、その輪郭７０における後側輪郭部分７０ｂの中央部が前方側に窪んだ形状として、図６（ａ）〜図６（ｅ）に示す形状であってもよい。図６（ａ）に示す形状は、標識部７の前側輪郭部分７０ｆが前方側に凸状に形成され、標識部７の後側輪郭部分７０ｂが前方側にＶ字状に切り欠かれた円グラフのような形状に形成されている。また、図６（ｂ）に示す形状は、標識部７の前側輪郭部分７０ｆが前方側に凸の円弧状に形成され、標識部７の後側輪郭部分７０ｂが前方側に凸の円弧状に形成された三日月状に形成されている。図６（ｃ）に示す形状は、標識部７の前側輪郭部分７０ｆが前方側にＶ字状に延出して形成され、標識部７の後側輪郭部分７０ｂが前方側にＶ字状に切り欠かれたハート形状に形成されている。図６（ｄ）に示す形状は、標識部７の前側輪郭部分７０ｆが前方側にＶ字状に延出して形成され、標識部７の後側輪郭部分７０ｂが前方側にＶ字状に切り欠かれたＶ字形状に形成されている。図６（ｅ）に示す形状は、標識部７の前側輪郭部分７０ｆが前方側に凸の円弧状に形成され、標識部７の後側輪郭部分７０ｂが前方側に凸の円弧状に形成された帯状に形成されている。
【００５２】
また、上述したナプキン１は、図１に示すように、着用時に着用者の肌側に向かって起立して立体ガード５０を有しているが、本発明の吸収性物品は、立体ガード５０を有していない形態であってもよい。また、立体ガード５０の形状も、ナプキン１の有する立体ガード５０の形状に限られるものではない。
また、上述したナプキン１は、図１に示すように、ウイング部２０及び後方フラップ部３０を有しているが、本発明の吸収性物品は、ウイング部２０及び後方フラップ部３０の少なくとも一方を有していない形態であってもよい。
【００５３】
ナプキン１においては、図１，図４に示すように、表面シート２の下に、吸収体４の前方中高領域４１が存在することによって、排泄部対向領域Ｂから後方領域Ｃの一部に亘る領域における肌対向面の幅方向中央部に、着用者の肌側に向かって突出する前方隆起部１１が形成されており、また、表面シート２の下に、吸収体４の後方中高領域４２が存在することによって、後方領域Ｃにおける肌対向面の幅方向中央部に、着用者の肌側に向かって突出する後方隆起部１２が形成されている。
【００５４】
前方中高領域４１は、図４に示すように、吸収体４の周辺領域４３における厚みよりも厚みが厚い領域であり、排泄部対向領域Ｂから後方領域Ｃの一部に亘る領域に形成されている。前方中高領域４１は、排泄部対向領域Ｂのみに形成されていても良いが、図１，図２に示すように、排泄部対向領域Ｂから後方領域Ｃの一部に亘って延在していることが好ましい。
【００５５】
後方中高領域４２は、吸収体４の周辺領域４３における厚みよりも厚みが厚い領域であり、図１，図２に示すように、後方領域Ｃに形成されている。また、後方中高領域４２は、吸収体４の前後方向（Ｘ方向）において、前方中高領域４１よりも後方に形成されている。
【００５６】
本発明の吸収性物品は、生理用ナプキン以外にも、例えば、失禁者用パッド、パンティーライナー等に好適に用いることができる。
【００５７】
上述した実施形態に関し、さらに以下の吸収性物品を開示する。
【００５８】
＜１＞
表面シート、裏面シート及びこれら両シート間に配された吸収体を具備する縦長の吸収性物品であって、肌対向面に圧搾溝及び標識部が、前記表面シート及び前記吸収体を前記裏面シート側に向かって一体的に圧搾して形成されており、前記圧搾溝は、前記吸収性物品の後方領域に幅方向に延びる横圧搾溝を有しており、前記標識部は、指の先で触った際に該標識部の全容が分かるサイズで、かつ、幅方向長さが前記横圧搾溝よりも短く、前記吸収性物品の長手方向に延びる中心線上に配され、該中心線に対称な形状に形成されており、前記標識部は、前記吸収性物品の後端から前方に離れた位置に配され、少なくとも該標識部の一部が前記圧搾溝の前記横圧搾溝よりも後方に位置している吸収性物品。
＜２＞
前記標識部は、その輪郭における前側輪郭部分が前方側に凸の形状に形成されていると共に、その輪郭における後側輪郭部分の中央部が前方側に窪んだ形状に形成されている前記＜１＞に記載の吸収性物品。
＜３＞
前記標識部は、その輪郭の前記後側輪郭部分における前記中心線より左部分が右側後方に凸の形状に形成されており、該後側輪郭部分における該中心線より右部分が左側後方に凸の形状に形成されている前記＜２＞に記載の吸収性物品。
＜４＞
前記圧搾溝及び前記標識部は、それぞれ、高圧搾部と低圧搾部とを有し、前記圧搾溝における前記高圧搾部及び前記低圧搾部の配置パターンと、前記標識部における前記高圧搾部及び前記低圧搾部の配置パターンとが異なっている前記＜１＞〜＜３＞の何れか１つに記載の吸収性物品。
＜５＞
前記標識部における高圧搾部は、幅方向に延びる複数の横線部分と長手方向に延びる複数の縦線部分によって格子状に形成され、低圧搾部は、格子状の高圧搾部の各格子の間に矩形状に形成されている、前記＜４＞記載の吸収性物品。
＜６＞
幅方向中央部における前記裏面シートの非肌対向面に、衣類に固定する縦長の固定用部材を一対備えており、前記標識部は、前記一対の固定用部材の間に対応する位置に配されている前記＜１＞〜＜５＞の何れか１つに記載の吸収性物品。
＜７＞
前記標識部は、その輪郭の内部が圧搾されている、前記＜１＞〜＜６＞の何れか１つに記載の吸収性物品。
＜８＞
前記吸収性物品は該長手方向に、前方領域、排泄部対向領域及び後方領域に区分され、排泄部対向領域における吸収性本体の左右側に一対のウイング部を備えている、前記＜１＞〜＜７＞のいずれか１つに記載の吸収性物品。
＜９＞
前記後方領域における吸収性本体の左右両側に一対の後方フラップ部を有している、前記＜１＞〜＜８＞のいずれか１つに記載の吸収性物品。
＜１０＞
前記標識部の面積は、０．６４ｃｍ２以上２５ｃｍ２以下である前記＜１＞〜＜９＞の何れか１つに記載の吸収性物品。
＜１１＞
前記標識部の全体が、前記横圧搾溝よりも後方に位置し、該標識部の後端と該横圧搾溝との間に、前記圧搾溝から独立して存在している前記＜１＞〜＜１０＞の何れか１つに記載の吸収性物品。
＜１２＞
前記標識部と前記横圧搾溝とが重なっていて、標識部の一部が圧搾溝の後方に位置している前記＜１＞〜＜１０＞の何れか１つに記載の吸収性物品。
＜１３＞
前記標識部の前記横圧搾溝に対する横方向長さの比が０．１以上０．９以下である、前記＜１２＞記載の吸収性物品。
＜１４＞
前記横圧搾溝が、物品幅方向中央で前側に突出した窪み部を有している前記＜１＞〜＜１４＞の何れか１つに記載の吸収性物品。
＜１５＞
前記窪み部が前記標識部における後側輪郭部分の中央部が前方側に窪んだ部分と長手方向に重なっている前記＜１４＞に記載の吸収性物品。
＜１６＞
前記表面シートの左右両側部それぞれに立体ガード形成用シートが前後方向に沿って配されて、該立体ガードの自由端を形成する側縁部の近傍に弾性部材を有し、着用時には排泄部対向領域において自由端が着用者の肌側に向かって起立するとともに、後方部の前記標識部と縦方向で重なる領域においては該側縁部が表面シートに固定されて起立しないようになされている前記＜１＞〜＜１５＞の何れか１つに記載の吸収性物品。
＜１７＞
吸収体は、排泄部対向領域から後方領域の一部に亘る領域における幅方向の中央部に、周囲より厚みが大きい前方中高領域を有する、前記＜１＞〜＜１６＞の何れか１つに記載の吸収性物品。
＜１８＞
前記吸収体は、後方領域における幅方向の中央部に、周囲よりも厚みが大きい後方中高領域を有している、前記＜１＞〜＜１７＞の何れか１つに記載の吸収性物品。
＜１９＞
前記吸収体は、前記前方中高領域と前記後方中高領域とを纏めて取り囲む環状の周辺領域を有しており、該周辺領域には、前記横圧搾溝を含む環状の圧搾溝が配されている、前記＜１８＞記載の吸収性物品。
＜２０＞
前記環状の圧搾溝は、前記横圧搾溝と、前方領域に配された前方圧搾溝と、排泄部対向領域から後方領域の一部に亘る領域の両側部に前後方向に沿って延びる一対の縦圧搾溝と、後方領域の両側部に前後方向に沿って延びる一対の縦圧搾溝とを含んでなる、前記＜１９＞記載の吸収性物品。
＜２１＞
更に、縦圧搾溝と縦圧搾溝との境界付近に位置して幅方向に延びる第二横圧搾溝を有している前記＜２０＞記載の吸収性物品。
＜２２＞
吸収性物品の全周縁は熱シール部が設けられており、後端部側の該熱シール部よりも前方に前記標識部が位置している、前記＜１＞〜＜２１＞の何れか１つに記載の吸収性物品。
＜２３＞
前記吸収性物品が、全長３０ｃｍ以上の生理ナプキンである、前記＜１＞〜＜２２＞の何れか１つに記載の吸収性物品。
【符号の説明】
【００５９】
１  生理用ナプキン（吸収性物品）
２  表面シート
３  裏面シート
４  吸収体
５  立体ガード形成用シート
５０  立体ガード
５１  折り返し部
５２  側縁部
５３  立体ガード形成用の弾性部材
６  圧搾溝
６ａ  前方圧搾溝６ａ、６ｂｓ  縦圧搾溝、６ｃｓ  縦圧搾溝
６ｃ，６ｄ  横圧搾溝
６ｓ  高圧搾部、６ｗ  低圧搾部
７  標識部
７０  輪郭
７０ｆ  前側輪郭部分
７０ｂ  後側輪郭部分
７ｓ  高圧搾部、７ｗ  低圧搾部
８  固定用部材
１０  吸収性本体
２０  ウイング部
３０  後方フラップ部
Ａ  前方領域
Ｂ  排泄部対向領域
Ｃ  後方領域
ＣＬ  長手方向に延びる中心線
【図１】
0006042311.tif 000002
【図２】
0006042311.tif 000003
【図３】
0006042311.tif 000004
【図４】
0006042311.tif 000005
【図５】
0006042311.tif 000006
【図６】
0006042311.tif 000007